(57)【要約】【課題】  固定局として扱われるファクシミリ端末に着信した画像データを、移動局で使用される携帯端末に転送することが可能な通信装置を提供する。【解決手段】  ファクシミリ送受信機能とＬＡＮ接続によるＩＰ通信機能を備え、着信した画像から文字認識でキーワードを抽出しメール送信にてメール本文として転送する制御を行う主制御部１１を備えるようにした。【選択図】  図２
2006303648.tif 000002
【特許請求の範囲】
【請求項１】
ファクシミリ送受信機能とＬＡＮ接続によるＩＰ通信機能を備え、着信した画像から文字認識でキーワードを抽出してメール送信にてメール本文として転送する制御を行う制御手段を備えることを特徴とする通信装置。
【請求項２】
請求項１記載の通信装置において、データ蓄積手段を備え、前記制御手段は、キーワード抽出時にファクシミリ受信した画像データの検出位置をキーワードと共に一定期間、前記データ蓄積手段に保持させるように制御することを特徴とする通信装置。
【請求項３】
請求項１記載の通信装置において、前記データ蓄積手段はキーワード抽出用の記憶テーブルを有していることを特徴とする通信装置。
【請求項４】
請求項１記載の通信装置において、予め抽出したいキーワードを登録する登録手段を備えることを特徴とする通信装置。
【請求項５】
請求項２記載の通信装置において、前記制御手段は、転送先の携帯端末から最初の転送時に送られてきたキーワード群より必要なキーワードを受信し、受信したキーワードから抽出したキーワードと画像位置を導き出し、前記携帯端末に表示できる範囲の予め定められた画素数で画像データを切り出し、メールの添付画像として再送する制御を行うことを特徴とする通信装置。
【発明の詳細な説明】
【技術分野】
【０００１】
本発明は、画像及び文字データを伝達する通信装置に関わり、特にＧ３、Ｇ４、ＩＰファクシミリ装置、複合機、通信機能を備えたパーソナルコンピュータ等に好適なものである。
【背景技術】
【０００２】
ファクシミリ通信については、通信方式に合わせてＧ３、Ｇ４、ＩＰ通信が行われる。また一般的に携帯端末を相手先とする画像通信はメールに添付しても行われる。このメール添付のファクシミリ通信の場合には、Ｔ．３７などの規定に合わせて画像線密度が変換される。
ここで、ファクシミリ受信した画像を出力するにあたっては、紙に出力する形式、本体に装備された表示器に表示する形式、連携システムによりＰＣで画像閲覧する形式等により閲覧あるいは確認できるようになっている。
また画像を閲覧するシステムに関連する技術としては例えば特許文献１、２がある。
【特許文献１】特開２００３−１９６３８２公報
【特許文献２】特開２００３−２０４４００公報
【発明の開示】
【発明が解決しようとする課題】
【０００３】
上述したようにファクシミリ受信した画像は、一般的に紙に出力したり、本体に装備された表示器に表示したり、連携システムによりＰＣで画像閲覧したりすることで画像を確認することができるが、固定端末の場合は外出などの移動中に閲覧することができないという欠点があった。
また一般的に画像転送はメールに添付して行われるが、画像データはキャラクタ情報と比較しデータ量が非常に多く、通信コストが高い。
このため、表示能力に制限がある携帯電話に代表される携帯端末では効率が悪いという欠点があった。特に、文字情報により伝達ができる内容の場合は効率的でなかった。
そこで、本発明は上記したような点を鑑みてなされたものであり、固定局として扱われるファクシミリ端末に着信した画像データを、移動局で使用される携帯端末に転送することが可能な通信装置を提供することを目的とする。
【課題を解決するための手段】
【０００４】
上記目的を達成するために、請求項１記載の発明は、ファクシミリ送受信機能とＬＡＮ接続によるＩＰ通信機能を備え、着信した画像から文字認識でキーワードを抽出してメール送信にてメール本文として転送する制御を行う制御手段を備えることを特徴とする。
請求項２記載の発明は、請求項１記載の通信装置において、データ蓄積手段を備え、前記制御手段は、キーワード抽出時にファクシミリ受信した画像データの検出位置をキーワードと共に一定期間、前記データ蓄積手段に保持させるように制御することを特徴とする。
請求項３記載の発明は、請求項１記載の通信装置において、前記データ蓄積手段はキーワード抽出用の記憶テーブルを有していることを特徴とする。
請求項４記載の発明は、請求項１記載の通信装置において、予め抽出したいキーワードを登録する登録手段を備えることを特徴とする。
請求項５記載の発明は、請求項２記載の通信装置において、前記制御手段は、転送先の携帯端末から最初の転送時に送られてきたキーワード群より必要なキーワードを受信し、受信したキーワードから抽出したキーワードと画像位置を導き出し、前記携帯端末に表示できる範囲の予め定められた画素数で画像データを切り出し、メールの添付画像として再送する制御を行うことを特徴とする。
【発明の効果】
【０００５】
本発明では、ファクシミリ送受信機能とＬＡＮ接続によるＩＰ通信機能を備え、着信した画像から文字認識でキーワードを抽出しメール送信にてメール本文として転送する制御を行う主制御部を備えることで、固定局として扱われるファクシミリ端末に着信した画像データを、移動局で使用される携帯端末に転送することが可能となる。
【発明を実施するための最良の形態】
【０００６】
以下、図面を参照して本発明の実施形態を詳細に説明する。
図１は通信ネットワークシステムの構成図である。
この図１において、本発明の通信装置である通信端末１は、ファクシミリ送受信機能とＬＡＮ接続によるＩＰ通信機能を備えている。この通信端末１は、ファクシミリ端末や複合機などに値する。
端末２は一般的なファクシミリ端末で、通信端末１にファクシミリ送信を行う。携帯端末３は受信した画像を表示することが可能な携帯電話や、携帯コンピュータを示す。この携帯端末３は、電波を利用した通信機能を備え、電子メールの送受信が可能なものである。
そして本実施形態の通信端末１は、Ｇ３ファクシミリ受信を代表とする画像データの受信が行われた際の機能に特徴がある。
画像データの受信は、Ｇ３ファクシミリ受信のほか、Ｇ４ファクシミリ、Ｔ．３７によるメール受信、Ｔ．３８によるＩＰファクシミリ受信などが挙げられる。
通信端末１は、これらの手段で画像を受信した場合、予め転送先が登録された携帯端末のアドレスに文字データ及び画像を転送する。
【０００７】
図２は上記図１に示す通信端末のブロック図である。
主制御部１１は、ＣＰＵと、ＣＰＵを動作させるためのプログラムと、プログラム実行時の情報の格納に使うＲＯＭ、ＲＡＭを備え、装置全体を制御する。
操作部１２は、ユーザーインタフェースとして、ＣＲＴやＬＣＤ等の表示器やＬＥＤ等のランプ、及びキーから構成され、操作入力、表示出力を実現する。
画像処理部１３は、スキャナで読み取られた送信原稿の伸張圧縮、画像の切り出し、線密度変換などの制御を行う。コンピュータなどでは、画像入力装置とのインターフェースになる場合もある。
データ蓄積部１４は、データの大量、長期保存などに使用するハードディスク等の不揮発性の二次記憶部である。データ転送においては受信データの保管に使用される。
通信ユニット１５、１６は回線種が異なる通信を制御する。該当回線としてはアナログ一般加入回線、デジタル一般加入回線、ＬＡＮ等がある。
通信手段は、アナログ一般加入回線ではＧ３通信やプロバイダ接続のためのデータ通信を行う。デジタル一般加入回線ではＧ４通信やプロバイダ接続のためのデータ通信を行う。その他ＡＤＳＬ接続などもある。
ＬＡＮではルータやゲートウェイ、イントラネット接続として使用され、ＨＴＴＰ、ＦＴＰ、ＳＭＴＰ、ＰＯＰ等の通信が行われる。本実施形態ではアナログ一般加入回線接続によるＧ３通信とＬＡＮ接続によるＳＭＴＰ、ＰＯＰ通信を実施する。
【０００８】
［第１の実施形態］
第１の実施形態では、通信端末１に予め転送先のアドレスと転送先の情報を登録する。
図３は図１に示す通信ネットワークシステムにおける通信内容を示す説明図である。図３の点線イまでが動作を示している。
通信端末１は端末２から一般的な画像受信、例えばＧ３ファクスを受信すると、通信端末１は受信した画像に対してＯＣＲ処理を行う。その結果、抽出された文字列よりキーワードを取り出す。この取り出されたキーワードを転送先（メールサーバ）へメール本文として転送する。キーワードには長さや、キーワード数の制限を予め設けることも可能で転送する文字量を制限する。
［第２の実施形態］
第２の実施形態では、第１の実施形態で抽出したキーワードの画像位置を記憶する。画像位置の特定にはキーワードの頭文字の抽出開始位置における主操作方向と副操作方向のビット位置を使用する。画像位置精度を追求する必要がないときは、画像を記憶しているメモリのアドレスや、一定単位のメモリブロックの開始位置でも代用することはできる。
画像位置は一定時間保持することが必要であり、このデータはデータ蓄積部１４に保存される。保持期間については、この情報を取り扱うアプリケーションにより異なるが、１日〜３日程度は必要である。本実施例ではキーワードより画像データの切り出し位置の特定ができる。このことは、アプリケーションの広がりをもたらすこととなる。
【０００９】
［第３の実施形態］
第３の実施形態では、転送先の移動端末から最初の転送時に送られてきたキーワード群より必要なキーワードを受信し、この受信したキーワードより、抽出したキーワードと画像位置を導き出し、携帯端末に表示できる範囲の予め定められた画素数で画像データを切り出し、メールの添付画像として再送する。
図３に示す各端末間の通信フローにおいて、通信端末１転送される電子メールにはキーワードの他、文書を特定する情報や発信元情報を付加する。
携帯端末３で受信したキーワードからキーワード周辺の画像を再送要求するために転送元の端末にキーワードを送信する。
この時、キーワードは複数存在し必要なキーワードと予め送られてきた文書情報をメール送信する。本実施例では、携帯端末でも十分表示可能な画素数にすることにより、移動中の携帯端末３に効率的な情報の転送を行うことが可能となる。
転送元の通信端末１は、予め転送先が登録されている携帯端末からのメール文書を受け取ると、文書情報とキーワードより画像データの切り出しを行う。切り出されたデータを再度、携帯端末３へ添付画像としてメール送信する。図４に示す受信原稿から切り出された画像を図５に示す。
［第４の実施形態］
第４の実施形態では、キーワードをデータ蓄積部１４に予め登録する機能を備え、この機能に基づいて文字列を登録する。例えば、「件名」、「住所」、「日時」、「場所」、「打ち合わせ」など転送を要する案件に必要とされる文字を登録する。キーワード抽出時に曖昧であったり、キーワードの途切れがないような場合に有効である。曖昧である場合には比較時の一致率を予め定めることにより、文字認識ミスなどから意図するキーワードに置き換える。また、文字列の途切れが不明な場合には登録したデータと一致した文字をキーワードとして抽出することにより意図するキーワードに近づけることが可能になる。
本実施形態では、転送する通信端末１の処理負荷を軽減すると共に、転送するデータ量を最小限にし、転送速度の向上と通信コストの軽減を図ることができる。また、受信者にとって意図するキーワードを抽出する確率が高くなることから効率的な情報の転送が可能となる。
【図面の簡単な説明】
【００１０】
【図１】通信ネットワークシステムの構成図。
【図２】図１に示す通信端末のブロック図。
【図３】図１に示す通信ネットワークシステムにおける通信内容を示す説明図。
【図４】受信原稿を示す図。
【図５】図４に示す受信原稿から切り出された画像を示す図。
【符号の説明】
【００１１】
１  通信端末（通信装置）、３  携帯端末、１１  主制御部、１２  操作部、１４  データ蓄積部
【図１】
2006303648.tif 000003
【図２】
2006303648.tif 000004
【図３】
2006303648.tif 000005
【図４】
2006303648.tif 000006
【図５】
2006303648.tif 000007